(57)【特許請求の範囲】
【請求項１】
基地局と無線通信する移動無線端末において、
前記基地局から受信した無線信号の受信電界レベルを検出する第１の検出手段と、
この第１の検出手段にて検出した受信電界レベルが予め設定した閾値より大きいか否かの判定する判定手段と、
この判定手段が大きいと判定した場合に、前記基地局から所定のチャネルを通じて自端末宛てに送られる呼び出し信号の有無を検出する第２の検出手段と、
前記判定手段が大きくないと判定した場合に、前記判定手段にて用いる閾値の値を増加させる閾値増加手段とを具備することを特徴とする移動無線端末。
【請求項２】
前記判定手段が大きいと判定した後に、前記チャネルを通じて前記基地局から送られる所定の信号を前記第２の検出手段が所定の割合で受信できた場合に、前記判定手段にて用いる閾値の値を減じる閾値縮小手段を備えることを特徴とする請求項１に記載の移動無線端末。
【請求項３】
基地局と無線通信する移動無線端末において、
前記基地局から受信した無線信号の受信電界レベルを検出する第１の検出手段と、
この第１の検出手段にて検出した受信電界レベルが予め設定した閾値より大きいか否かの判定する判定手段と、
この判定手段が大きいと判定した場合に、前記基地局から所定のチャネルを通じて自端末宛てに送られる呼び出し信号の有無を検出する第２の検出手段と、
前記判定手段が大きいと判定した後に、前記チャネルを通じて前記基地局から送られる所定の信号を前記第２の検出手段が所定の割合で受信できなかった場合に、前記判定手段にて用いる閾値の値を増加させる閾値増加手段とを具備することを特徴とする移動無線端末。
【請求項４】
基地局とＣＤＭＡ（Code Division Multiple Access）方式の無線通信を行う移動無線端末において、
前記基地局から受信した無線信号に逆拡散処理を施し、パスの相関レベルを検出する第１の検出手段と、
この第１の検出手段にて検出した相関レベルが予め設定した閾値より大きいか否かの判定する判定手段と、
この判定手段が大きいと判定した場合に、前記基地局から所定のチャネルを通じて自端末宛てに送られる呼び出し信号の有無を検出する第２の検出手段と、
前記判定手段が大きくないと判定した場合に、前記判定手段にて用いる閾値の値を増加させる閾値増加手段とを具備することを特徴とする移動無線端末。
【請求項５】
前記判定手段が大きいと判定した後に、前記チャネルを通じて前記基地局から送られる所定の信号を前記第２の検出手段が所定の割合で受信できた場合に、前記判定手段にて用いる閾値の値を減じる閾値縮小手段を備えることを特徴とする請求項４に記載の移動無線端末。
【請求項６】
基地局とＣＤＭＡ（Code Division Multiple Access）方式の無線通信を行う移動無線端末において、
前記基地局から受信した無線信号に逆拡散処理を施し、パスの相関レベルを検出する第１の検出手段と、
この第１の検出手段にて検出した相関レベルが予め設定した閾値より大きいか否かの判定する判定手段と、
この判定手段が大きいと判定した場合に、前記基地局から所定のチャネルを通じて自端末宛てに送られる呼び出し信号の有無を検出する第２の検出手段と、
前記判定手段が大きいと判定した後に、前記チャネルを通じて前記基地局から送られる所定の信号を前記第２の検出手段が所定の割合で受信できなかった場合に、前記判定手段にて用いる閾値の値を増加させる閾値増加手段とを具備することを特徴とする移動無線端末。
【請求項７】
基地局と無線通信する移動無線端末の制御回路において、
前記基地局から受信した無線信号の受信電界レベルを検出する第１の検出手段と、
この第１の検出手段にて検出した受信電界レベルが予め設定した閾値より大きいか否かの判定する判定手段と、
この判定手段が大きいと判定した場合に、前記基地局から所定のチャネルを通じて自端末宛てに送られる呼び出し信号の有無を検出する第２の検出手段と、
前記判定手段が大きくないと判定した場合に、前記判定手段にて用いる閾値の値を増加させる閾値増加手段とを具備することを特徴とする制御回路。
【請求項８】
前記判定手段が大きいと判定した後に、前記チャネルを通じて前記基地局から送られる所定の信号を前記第２の検出手段が所定の割合で受信できた場合に、前記判定手段にて用いる閾値の値を減じる閾値縮小手段を備えることを特徴とする請求項７に記載の制御回路。
【請求項９】
基地局と無線通信する移動無線端末の制御回路において、
前記基地局から受信した無線信号の受信電界レベルを検出する第１の検出手段と、
この第１の検出手段にて検出した受信電界レベルが予め設定した閾値より大きいか否かの判定する判定手段と、
この判定手段が大きいと判定した場合に、前記基地局から所定のチャネルを通じて自端末宛てに送られる呼び出し信号の有無を検出する第２の検出手段と、
前記判定手段が大きいと判定した後に、前記チャネルを通じて前記基地局から送られる所定の信号を前記第２の検出手段が所定の割合で受信できなかった場合に、前記判定手段にて用いる閾値の値を増加させる閾値増加手段とを具備することを特徴とする制御回路。
【請求項１０】
基地局とＣＤＭＡ（Code Division Multiple Access）方式の無線通信を行う移動無線端末の制御回路において、
前記基地局から受信した無線信号に逆拡散処理を施し、パスの相関レベルを検出する第１の検出手段と、
この第１の検出手段にて検出した相関レベルが予め設定した閾値より大きいか否かの判定する判定手段と、
この判定手段が大きいと判定した場合に、前記基地局から所定のチャネルを通じて自端末宛てに送られる呼び出し信号の有無を検出する第２の検出手段と、
前記判定手段が大きくないと判定した場合に、前記判定手段にて用いる閾値の値を増加させる閾値増加手段とを具備することを特徴とする制御回路。
【請求項１１】
前記判定手段が大きいと判定した後に、前記チャネルを通じて前記基地局から送られる所定の信号を前記第２の検出手段が所定の割合で受信できた場合に、前記判定手段にて用いる閾値の値を減じる閾値縮小手段を備えることを特徴とする請求項１０に記載の制御回路。
【請求項１２】
基地局とＣＤＭＡ（Code Division Multiple Access）方式の無線通信を行う移動無線端末の制御回路において、
前記基地局から受信した無線信号に逆拡散処理を施し、パスの相関レベルを検出する第１の検出手段と、
この第１の検出手段にて検出した相関レベルが予め設定した閾値より大きいか否かの判定する判定手段と、
この判定手段が大きいと判定した場合に、前記基地局から所定のチャネルを通じて自端末宛てに送られる呼び出し信号の有無を検出する第２の検出手段と、
前記判定手段が大きいと判定した後に、前記チャネルを通じて前記基地局から送られる所定の信号を前記第２の検出手段が所定の割合で受信できなかった場合に、前記判定手段にて用いる閾値の値を増加させる閾値増加手段とを具備することを特徴とする制御回路。
【発明の詳細な説明】
【０００１】
【発明の属する技術分野】
この発明は、自動車電話システムや携帯電話システムなどの移動無線通信システムに用いられる移動無線端末に関する。
【０００２】
【従来の技術】
移動無線通信システムは、図５に示すように、複数の基地局Ａ，Ｂ，Ｃを移動通信網に収容している。そして、基地局Ａ，Ｂ，Ｃは、電波環境により若干の変動はあるものの、それぞれ円で示すような無線ゾーンを形成し、この範囲内に位置する移動局、すなわち移動無線端末ａ，ｂと無線通信を行う。
【０００３】
この図において、例えば移動無線端末ａは、基地局Ｂの無線ゾーンと、基地局Ｃの無線ゾーンの両方の範囲内に位置しているため、各基地局からは図６に示すような受信電界レベルが得られ、このうち、受信電界レベルが高い基地局Ｃからの無線信号を監視して、着信の発生を待機する。
【０００４】
また、移動無線端末ｂにあっては、基地局Ｃの無線ゾーンの境界付近に位置している。このような場所に位置する移動無線端末ｂは、各基地局からは図７に示すような受信電界レベルが得られる。
【０００５】
このため、最も受信電界レベルの高い基地局Ｃから送信される無線信号を監視するが、この無線信号の受信電界レベルも十分には高くないため、フェージングの影響を受けやすく、その受信状態が不安定となり、移動無線端末ｂは、サービス圏外と判定したり、サービス圏内と判定したりすることになる。
【０００６】
ところで、移動無線端末は、電源を投入すると、待ち受けを行うために、図８に示すような処理を実行している。この処理は、電源が切られるまで実行される。
電源を投入すると、まずステップ８ａにて、所定の初期化処理を実施した後、圏外待ち受け処理（ステップ８ｂ〜８ｄ）を実施する。
【０００７】
この圏外待ち受け処理では、まずステップ８ｂにて、基地局からの報知チャネルＢＣＨを受信して、受信電界レベルを測定する。
そしてステップ８ｃでは、ステップ８ｂで測定した受信電界レベルを、予め設定されている閾値ｔｈと比較し、この閾値ｔｈ以下であれば、ステップ８ｄにて一定時間待機したのち、再びステップ８ｂに移行する。
ステップ８ｂ〜８ｄの圏外待ち受け処理のループは、通常１０秒程度の周期で繰り返される。
【０００８】
一方、受信電界レベルが閾値ｔｈを上回った場合は、ステップ８ｅにて基地局からの報知チャネルＢＣＨを受信して復調し、ＢＣＨ情報を取得し、この情報に基づきステップ８ｆにて基地局を通じて位置登録などの処理を行う。
【０００９】
その後、着信待ち受け処理（ステップ８ｇ〜８ｊ）を実施する。
この着信待ち受け処理では、まずステップ８ｇにて、一斉呼び出しチャネルＰＣＨの受信を試み、ステップ８ｈでは、一斉呼び出しチャネルＰＣＨを受信できたか否かを判定する。
【００１０】
ここで、一斉呼び出しチャネルＰＣＨを受信できた場合には、ステップ８ｉに移行して、所定の時間の間、自局宛ての呼び出しの発生を待機した後、ステップ８ｇに移行し、再び一斉呼び出しチャネルＰＣＨの受信を試みる。
【００１１】
一方、一斉呼び出しチャネルＰＣＨを受信できなかった場合には、ステップ８ｊに移行する。
なお、ステップ８ｉにて、自局宛ての呼び出しが発生した場合には、当該処理を一時中断して着信報知を行い、ユーザの応答操作に伴って、通信リンクを開設する処理を実施する。
【００１２】
ステップ８ｊでは、ステップ８ｇにおける一斉呼び出しチャネルＰＣＨの受信で、Ｎ回連続して受信できない状態となったか否かを判定する。
【００１３】
ここで、連続で受信できない回数がＮ回未満の場合には、再びステップ８ｇに移行して、一斉呼び出しチャネルＰＣＨの受信を試みる。
一方、一斉呼び出しチャネルＰＣＨが、Ｎ回連続して受信できなかった場合には、再びステップ８ｂに移行して、圏外待ち受け処理（ステップ８ｂ〜８ｄ）を実施する。
【００１４】
以上のように、移動無線端末は、圏外待ち受け処理にてサービス圏内（受信電界レベルが閾値ｔｈより大）と判定すると、着信待ち受け処理に移行して、基地局からの着信の発生を待機し、その後、サービス圏外と判定（Ｎ回連続して一斉呼び出しチャネルＰＣＨの受信失敗）すると、再び圏外待ち受け処理を実施して、サービス圏内か圏外かを判定する処理実行する。
【００１５】
しかしながら、図５に示した移動無線端末ｂのように、通信環境が不安定な場所に位置する場合には、圏外待ち受け処理と着信待ち受け処理が交互に行われることになり、移動無線端末のＣＰＵ（Central Processing Unit）の負荷が高い状態に保たれ、通信ができない状態にもかかわらず、バッテリの電力が急速に消費されることになる。
【００１６】
【発明が解決しようとする課題】
従来の移動無線端末では、基地局が形成する無線ゾーンの境界付近に位置するなど、電波環境が不安定な状況におかれる場合には、移動通信サービスの圏内か圏外かを判定する処理と、基地局からの着信の発生を待機する処理とが、交互に行われるなど、通信ができない状態にもかかわらず、無駄な処理が繰り返し実施される状況に陥って、バッテリの電力を浪費するという問題があった。
【００１７】
この発明は上記の問題を解決すべくなされたもので、電波環境が不安定な状況におかれる場合であっても、バッテリの電力を浪費することを防止可能な移動無線端末を提供することを目的とする。
【００１８】
【課題を解決するための手段】
上記の目的を達成するために、請求項１に係わる本発明は、基地局と無線通信する移動無線端末において、基地局から受信した無線信号の受信電界レベルを検出する第１の検出手段と、この第１の検出手段にて検出した受信電界レベルが予め設定した閾値より大きいか否かの判定する判定手段と、この判定手段が大きいと判定した場合に、基地局から所定のチャネルを通じて自端末宛てに送られる呼び出し信号の発生を検出する第２の検出手段と、判定手段が大きくないと判定した場合に、判定手段にて用いる閾値の値を増加させる閾値増加手段とを具備して構成するようにした。
【００１９】
また、請求項７に係わる本発明は、基地局と無線通信する移動無線端末の制御回路において、基地局から受信した無線信号の受信電界レベルを検出する第１の検出手段と、この第１の検出手段にて検出した受信電界レベルが予め設定した閾値より大きいか否かの判定する判定手段と、この判定手段が大きいと判定した場合に、基地局から所定のチャネルを通じて自端末宛てに送られる呼び出し信号の発生を検出する第２の検出手段と、判定手段が大きくないと判定した場合に、判定手段にて用いる閾値の値を増加させる閾値増加手段とを具備して構成するようにした。
【００２０】
上記構成の移動無線端末および制御回路では、受信電界レベルが閾値より大きいと判定手段が判定した場合に、第２の検出手段が自端末宛ての呼び出し信号の発生を検出するが、受信電界レベルが上記閾値より大きくない場合には、上記閾値の値を増加して、受信電界レベルが増大しても安易に閾値より受信電界レベルが大きいと判定手段が判定しなくなるようにしている。
【００２１】
したがって、上記構成の移動無線端末および制御回路によれば、電波環境が不安定な状況にあり、受信電界レベルに変動が生じるような状況でも、判定手段の判定が頻繁に変化することが防止されるので、呼び出し信号の発生を安定して検出することが困難な状況における、呼び出し信号の発生を検出する処理への移行が抑制され、この処理に関わるバッテリ電力の浪費を防止することができる。
【００２２】
また上記の目的を達成するために、請求項３に係わる本発明は、基地局と無線通信する移動無線端末において、基地局から受信した無線信号の受信電界レベルを検出する第１の検出手段と、この第１の検出手段にて検出した受信電界レベルが予め設定した閾値より大きいか否かの判定する判定手段と、この判定手段が大きいと判定した場合に、基地局から所定のチャネルを通じて自端末宛てに送られる呼び出し信号の発生を検出する第２の検出手段と、判定手段が大きいと判定した後に、チャネルを通じて基地局から送られる所定の信号を第２の検出手段が所定の割合で受信できなかった場合に、判定手段にて用いる閾値の値を増加させる閾値増加手段とを具備して構成するようにした。
【００２３】
また、請求項９に係わる本発明は、基地局と無線通信する移動無線端末の制御回路において、基地局から受信した無線信号の受信電界レベルを検出する第１の検出手段と、この第１の検出手段にて検出した受信電界レベルが予め設定した閾値より大きいか否かの判定する判定手段と、この判定手段が大きいと判定した場合に、基地局から所定のチャネルを通じて自端末宛てに送られる呼び出し信号の発生を検出する第２の検出手段と、判定手段が大きいと判定した後に、チャネルを通じて基地局から送られる所定の信号を第２の検出手段が所定の割合で受信できなかった場合に、判定手段にて用いる閾値の値を増加させる閾値増加手段とを具備して構成するようにした。
【００２４】
上記構成の移動無線端末および制御回路では、受信電界レベルが閾値より大きいと判定手段が判定した場合に、第２の検出手段が自端末宛ての呼び出し信号の発生を検出するが、所定のチャネルを通じて自端末宛てに送られる所定の信号を第２の検出手段が所定の割合で受信できなかった場合に、判定手段にて用いる閾値の値を増加させて、受信電界レベルが増大しても安易に閾値より受信電界レベルが大きいと判定手段が判定しなくなるようにしている。
【００２５】
したがって、上記構成の移動無線端末および制御回路によれば、電波環境が不安定な状況にあり、受信電界レベルに変動が生じるような状況でも、判定手段の判定が頻繁に変化することが防止されるので、呼び出し信号の発生を安定して検出することが困難な状況における、呼び出し信号の発生を検出する処理への移行が抑制され、この処理に関わるバッテリ電力の浪費を防止することができる。
【００２６】
さらに上記の目的を達成するために、請求項４に係わる本発明は、基地局とＣＤＭＡ方式の無線通信を行う移動無線端末において、基地局から受信した無線信号に逆拡散処理を施し、パスの相関レベルを検出する第１の検出手段と、この第１の検出手段にて検出した相関レベルが予め設定した閾値より大きいか否かの判定する判定手段と、この判定手段が大きいと判定した場合に、基地局から所定のチャネルを通じて自端末宛てに送られる呼び出し信号の発生を検出する第２の検出手段と、判定手段が大きくないと判定した場合に、判定手段にて用いる閾値の値を増加させる閾値増加手段とを具備して構成するようにした。
【００２７】
また、請求項１０に係わる本発明は、基地局とＣＤＭＡ方式の無線通信を行う移動無線端末の制御回路において、基地局から受信した無線信号に逆拡散処理を施し、パスの相関レベルを検出する第１の検出手段と、この第１の検出手段にて検出した相関レベルが予め設定した閾値より大きいか否かの判定する判定手段と、この判定手段が大きいと判定した場合に、基地局から所定のチャネルを通じて自端末宛てに送られる呼び出し信号の発生を検出する第２の検出手段と、判定手段が大きくないと判定した場合に、判定手段にて用いる閾値の値を増加させる閾値増加手段とを具備して構成するようにした。
【００２８】
上記構成の移動無線端末および制御回路では、逆拡散処理によって得たパスの相関レベルが閾値より大きいと判定手段が判定した場合に、第２の検出手段が自端末宛ての呼び出し信号の発生を検出するが、相関レベルが上記閾値より大きくない場合には、上記閾値の値を増加して、相関レベルが増大しても安易に閾値より相関レベルが大きいと判定手段が判定しなくなるようにしている。
【００２９】
したがって、上記構成の移動無線端末および制御回路によれば、電波環境が不安定な状況にあり、相関レベルに変動が生じるような状況でも、判定手段の判定が頻繁に変化することが防止されるので、呼び出し信号の発生を安定して検出することが困難な状況における、呼び出し信号の発生を検出する処理への移行が抑制され、この処理に関わるバッテリ電力の浪費を防止することができる。
【００３０】
そしてまた上記の目的を達成するために、請求項６に係わる本発明は、基地局とＣＤＭＡ方式の無線通信を行う移動無線端末において、基地局から受信した無線信号に逆拡散処理を施し、パスの相関レベルを検出する第１の検出手段と、この第１の検出手段にて検出した相関レベルが予め設定した閾値より大きいか否かの判定する判定手段と、この判定手段が大きいと判定した場合に、基地局から所定のチャネルを通じて自端末宛てに送られる呼び出し信号の発生を検出する第２の検出手段と、判定手段が大きいと判定した後に、チャネルを通じて基地局から送られる所定の信号を第２の検出手段が所定の割合で受信できなかった場合に、判定手段にて用いる閾値の値を増加させる閾値増加手段とを具備して構成するようにした。
【００３１】
また、請求項１２に係わる本発明は、基地局とＣＤＭＡ方式の無線通信を行う移動無線端末の制御回路において、基地局から受信した無線信号に逆拡散処理を施し、パスの相関レベルを検出する第１の検出手段と、この第１の検出手段にて検出した相関レベルが予め設定した閾値より大きいか否かの判定する判定手段と、この判定手段が大きいと判定した場合に、基地局から所定のチャネルを通じて自端末宛てに送られる呼び出し信号の発生を検出する第２の検出手段と、判定手段が大きいと判定した後に、チャネルを通じて基地局から送られる所定の信号を第２の検出手段が所定の割合で受信できなかった場合に、判定手段にて用いる閾値の値を増加させる閾値増加手段とを具備して構成するようにした。
【００３２】
上記構成の移動無線端末および制御回路では、逆拡散処理によって得たパスの相関レベルが閾値より大きいと判定手段が判定した場合に、第２の検出手段が自端末宛ての呼び出し信号の発生を検出するが、所定のチャネルを通じて自端末宛てに送られる所定の信号を第２の検出手段が所定の割合で受信できなかった場合に、判定手段にて用いる閾値の値を増加させて、相関レベルが増大しても安易に閾値より相関レベルが大きいと判定手段が判定しなくなるようにしている。
【００３３】
したがって、上記構成の移動無線端末および制御回路によれば、電波環境が不安定な状況にあり、相関レベルに変動が生じるような状況でも、判定手段の判定が頻繁に変化することが防止されるので、呼び出し信号の発生を安定して検出することが困難な状況における、呼び出し信号の発生を検出する処理への移行が抑制され、この処理に関わるバッテリ電力の浪費を防止することができる。
【００３４】
【発明の実施の形態】
以下、図面を参照して、この発明の一実施形態について説明する。
図１は、この発明の第１の実施形態に係わる移動無線端末の構成を示すものである。この図に示す移動無線端末は、基地局ＢＳとの間で、ＴＤＭＡ（Time Division Multiple Access）方式によって無線通信を行うものである。
【００３５】
この図に示す移動無線端末は、アンテナ１１を備えた無線部１０と、モデム部２０と、ＴＤＭＡ部３０と、スピーカ４３およびマイクロホン４４（Ｍ）を備えた通話部４０と、着信報知部５０と、記憶部６０と、ユーザインターフェイス部７０と、制御部１００とを備える。
【００３６】
移動通信網に接続される基地局ＢＳから無線通話チャネルを介して送られた無線周波信号は、アンテナ１１で受信されたのち無線部１０の高周波スイッチ（ＳＷ）１２を介して受信部１３に入力される。
【００３７】
この受信部１３では、上記受信された無線周波信号が周波数シンセサイザ１４から発生された受信局部発振信号とミキシングされて受信中間周波信号に周波数変換される。
【００３８】
なお、上記周波数シンセサイザ１４から発生される局部発振周波数は、無線チャネル周波数に応じて制御部１００より指示される。また、無線部１０には受信電界強度検出部（ＲＳＳＩ）１６が設けられている。
【００３９】
この受信電界強度検出部１６は、制御部１００からの指示に応じたタイミングで、基地局ＢＳから到来した無線周波信号の受信電界強度（以下、ＲＳＳＩと称する）を検出し、その検出値を制御部１００に出力する。
【００４０】
なお、上記基地局ＢＳは、移動無線システムの通信網に接続されており、通常の音声通信の中継機能を備えるだけでなく、上記通信網を通じてインターネットを介したデータ通信の中継機能を備える。
【００４１】
上記受信部１３から出力された受信中間周波信号は、モデム部２０の復調部２１に入力される。復調部２１では上記受信中間周波信号のディジタル復調が行なわれ、これによりディジタル通話信号が再生される。
【００４２】
ＴＤＭＡ部３０のＴＤＭＡデコード部３１では、制御部１００の指示に従ってタイムスロットベースの上記ディジタル通話信号を速度変換した後、この変換結果を通話部４０に出力する。
【００４３】
通話部４０は、適応差分ＰＣＭトランスコーダ（ADPCM TRANS CODER）４１とＰＣＭコーデック（PCM CODEC）４２とからなり、上記ディジタル通話信号はこの適応差分ＰＣＭトランスコーダ４１およびＰＣＭコーデック４２で順次復号されてアナログ通話信号に再生される。そして、このアナログ通話信号は図示しない受話増幅器で増幅されたのちスピーカ４３から拡声出力される。
【００４４】
一方、マイクロホン４４に入力された送話音声は、ＰＣＭコーデック４２および適応差分ＰＣＭトランスコーダ４１で順次符号化されてディジタル通話信号となり、ＴＤＭＡエンコード部３２に入力される。
【００４５】
ＴＤＭＡエンコード部３２では、上記適応差分トランスコーダ４１から出力されたディジタル通話信号が制御部１００から指示されたタイムスロットに挿入されて、変調部２２に入力される。変調部２２では、上記ディジタル通話信号により搬送波信号がディジタル変調される。このようにして変調された搬送波信号は、送信部１５に入力される。
【００４６】
送信部１５では、上記変調された搬送波信号が周波数シンセサイザ１４から発生された送信局部発振信号とミキシングされることにより、制御部１００より指示された無線チャネル周波数に周波数変換されたのち、所定の送信電力レベルに増幅される。そして、このようにして送信部１５により周波数変換および信号増幅された無線周波信号は、高周波スイッチ１２を介してアンテナ１１から基地局ＢＳに向け送信される。
【００４７】
着信報知部５０は、当該端末装置宛てに着信があった場合に、制御部１００の制御によりユーザに対して着信を報知するもので、可聴音を発して報知を行なう発音体５１と、発光により報知を行なう発光体５２と、例えば偏心モータなどにより振動を発生して報知を行なう振動体５３とからなる。
【００４８】
記憶部６０は、例えばＲＯＭやＲＡＭなどの半導体メモリを記憶媒体としたもので、この記憶媒体には認証に必要な自機のＩＤデータ、種々制御データ、各種設定データ、短縮ダイヤル等に対応させたダイヤルデータや、名前と電話番号を対応させた電話帳データなどを記憶できる。
【００４９】
ユーザインターフェイス部７０は、表示部７１とキー入力部７２とからなる。
表示部７１は、例えばＬＣＤ（Liquid Crystal Display）などからなりユーザに対して自機の状態（発信／着信、バッテリ残量、受信強度）や記憶部６０から読み出したダイヤルデータなどを視覚的に示すためのものである。
【００５０】
キー入力部７２は、ダイヤル番号入力を行なうためのテンキーなど発着信に関わる通常の通話機能を実施するためのキーの他、着信報知方法（可聴音／発光／バイブレータ／報知なし）の切り換えなどの各種設定や種々の機能を利用するためのキーを備えたものである。
【００５１】
制御部１００は、ＣＰＵ、ＲＯＭおよびＲＡＭなどを有してなるものであり、上記ＣＰＵが上記ＲＯＭに記憶される制御プログラムや制御データに従って、当該移動無線端末装置の各部を統括して制御するもので、上述したようなＴＤＭＡ方式の通信を行うために通信に係わる各部を制御する他に、キー入力部７２を通じたユーザの要求に応じて記憶部６０に記憶されるダイヤルデータの編集制御など種々の制御を行う。
【００５２】
８１は電源回路であり、バッテリ８０の出力を基に所定の動作電源電圧Ｖccを生成して各回路に供給する。
【００５３】
次に、上記構成の移動無線端末装置の動作について説明する。
なお、以下の説明では、待ち受け時の動作について説明し、音声通信やデータ通信が開始された後の動作については説明を省略する。
【００５４】
図２は、待ち受け時に行われる処理を説明するためのフローチャートである。
この処理は、制御部１００によってなされ、電源が投入されると、電源が切られるまで実行される。
【００５５】
電源を投入すると、まずステップ２ａにて、所定の初期化処理を実施するとともに、閾値ｔｈ１の値を初期値にリセットし、圏外待ち受け処理（ステップ２ｂ〜２ｄ）を実施する。
【００５６】
この圏外待ち受け処理では、まずステップ２ｂにて、基地局ＢＳからの報知チャネルＢＣＨを受信して、受信電界レベルを測定する。
そしてステップ２ｃでは、ステップ２ｂで測定した受信電界レベルを、予め設定されている閾値ｔｈ１と比較する。
【００５７】
ここで、ステップ２ｂで測定した受信電界レベルが、上記閾値ｔｈ１以下であれば、ステップ２ｗに移行し、一方、受信電界レベルが閾値ｔｈ１を上回った場合は、ステップ２ｅに移行する。
【００５８】
ステップ２ｗでは、閾値ｔｈ１の現在値に所定値αを加算した値を新たな閾値ｔｈ１とし、ステップ２ｄに移行して、一定時間待機したのち、再びステップ２ｂに移行する。
なお、ここで、閾値ｔｈ１の最大値は、予め設定された値に制限されており、この制限値以上にはならないものとする。
ステップ２ｂ〜２ｄの圏外待ち受け処理のループは、１０秒程度の周期で繰り返される。
【００５９】
一方、ステップ２ｅでは、基地局ＢＳからの報知チャネルＢＣＨを受信して復調し、ＢＣＨ情報を取得し、この情報に基づきステップ２ｆにて基地局ＢＳを通じて位置登録などの処理を行う。
【００６０】
その後、着信待ち受け処理（ステップ２ｇ〜２ｊ）を実施する。
この着信待ち受け処理では、まずステップ２ｇにて、一斉呼び出しチャネルＰＣＨの受信を試み、ステップ２ｈでは、一斉呼び出しチャネルＰＣＨを受信できたか否かを判定する。
【００６１】
ここで、一斉呼び出しチャネルＰＣＨを受信できた場合には、ステップ２ｘに移行し、一方、ステップ一斉呼び出しチャネルＰＣＨを受信できなかった場合には、ステップ２ｊに移行する。
【００６２】
ステップ２ｘでは、この時点で、一斉呼び出しチャネルＰＣＨの受信が、Ｍ回連続して成功している（ステップ２ｈの判定がＭ回連続してＹｅｓ）か否かを判定する。
【００６３】
ここで、一斉呼び出しチャネルＰＣＨの受信が、Ｍ回連続して成功している場合には、ステップ２ｙに移行し、一方、一斉呼び出しチャネルＰＣＨの受信が、Ｍ回連続して成功していない場合には、ステップ２ｉに移行する。
【００６４】
ステップ２ｙでは、閾値ｔｈ１の値を初期値にリセットし、ステップ２ｉに移行する。
ステップ２ｉでは、所定の時間の間、自局宛ての呼び出しの発生を待機した後、ステップ２ｇに移行し、再び一斉呼び出しチャネルＰＣＨの受信を試みる。  なお、ステップ２ｉにて、自局宛ての呼び出しが発生した場合には、当該処理を一時中断して着信報知を行い、ユーザの応答操作に伴って、通信リンクを開設する処理を実施する。
【００６５】
一方、ステップ２ｊでは、ステップ２ｇにおける一斉呼び出しチャネルＰＣＨの受信で、Ｎ（＞Ｍ）回連続して受信できない状態となった（ステップ２ｈの判定がＮ回連続してＮｏ）か否かを判定する。
【００６６】
ここで、連続で受信できない回数がＮ回未満の場合には、ステップ２ｇに移行して、再び一斉呼び出しチャネルＰＣＨの受信を試みる。
一方、一斉呼び出しチャネルＰＣＨが、Ｎ回連続して受信できなかった場合には、ステップ２ｚに移行する。
【００６７】
ステップ２ｚでは、閾値ｔｈ１の現在値に所定値β（＞α）を加算した値を新たな閾値ｔｈ１とし、再び圏外待ち受け処理（ステップ２ｂ〜４ｄ）を実施する。
なお、ここで、閾値ｔｈ１の最大値は、予め設定された値に制限されており、この制限値以上にはならないものとする。
【００６８】
以上のように、上記構成の移動無線端末では、サービス圏内に位置することを検出する圏外待ち受け処理において、圏外の状態から圏内に位置するようになったことを判定するのに、その指標となる受信電界レベルの閾値を上げて、圏内に位置するものと判定しにくくしている。
【００６９】
また、着信待ち受け処理を実施して着信を待ち受けている際に、一斉呼び出しチャネルＰＣＨがＮ回連続して受信できず、安定した着信待ち受けができなくなった場合にも、圏外の状態から圏内に位置するようになったことを判定するのに、その指標となる受信電界レベルの閾値を上げて、圏内に位置するものと判定しにくくしている。
【００７０】
したがって、上記構成の移動無線端末によれば、電波環境が不安定な状況におかれ、呼び出し信号の発生を安定して検出することが困難な状況であっても、位置登録の処理や、呼び出し信号の発生を待機する処理など、結果的に無駄となる処理が安易に行われることが防止できるので、バッテリ８０の電力を浪費することを防止できる。
【００７１】
次に、この発明の第２の実施形態に係わる移動無線端末について説明する。図３は、その構成を示すもので、この図に示す移動無線端末は、基地局ＢＳとの間で、ＣＤＭＡ（Code Division Multiple Access）方式によって無線通信を行うものである。
【００７２】
空間からアンテナ１０１で受信された無線周波信号は、アンテナ共用器１０２に入力される。アンテナ共用器１０２は、受信用フィルタ１０２ａと送信用フィルタ１０２ｂとからなる。
【００７３】
アンテナ１０１より入力された無線周波信号のうち、基地局ＢＳから送信された無線周波信号は、受信用フィルタ１０２ａを通過して、受信部（ＲＸ）１０３に出力される。なお、この無線周波信号は送信用フィルタ１０２ｂにより、後述の送信部１０５に入力されることはない。
【００７４】
受信部１０３では、上記無線周波信号を周波数シンセサイザ（ＳＹＮ）１０４から入力された受信局部発振信号とミキシングして中間周波信号に周波数変換する。なお、上記周波数シンセサイザ１０４にて発生される受信局部発振信号の周波数は、制御部１４０からの制御電圧によって制御される。
【００７５】
受信部１０３にて得られた中間周波信号は、ＣＤＭＡ信号処理部１０６において、直交復調処理が施されたのち、逆拡散処理が施されて、データレートに応じた所定のフォーマットの受信データに変換され、音声符号処理部１０７に出力され、データレートを示すデータについては制御部１４０に出力される。
【００７６】
音声符号処理部１０７は、上記ＣＤＭＡ信号処理部１０６にて得られた受信データに対して、制御部１４０から通知される受信データレートに応じた伸長処理を施し、この処理結果をＰＣＭ符号処理部１０８に出力する。
【００７７】
ＰＣＭ符号処理部１０８は、音声符号処理部１０７にて伸張された受信データを復号してアナログ受話信号を得る。このアナログ受話信号は、増幅器１０９にて増幅された後スピーカ１１０より拡声出力される。
【００７８】
一方、話者の入力音声は、マイクロホン（Ｍ）１１１を通じてアナログ送話信号として入力され、増幅器１１２で適正レベルまで増幅された後、ＰＣＭ符号処理部１０８にてＰＣＭ符号化処理が施され、送信データとして音声符号処理部１０７に出力される。
【００７９】
音声符号処理部１０７は、ＰＣＭ符号処理部１０８から出力される送信データより入力音声のエネルギー量を検出し、この検出結果に基づいてデータレートを決定し、制御部１４０に通知する。そして、上記送信データを上記データレートに応じたフォーマットのバースト信号に圧縮し、ＣＤＭＡ信号処理部１０６に出力する。
【００８０】
ＣＤＭＡ信号処理部１０６は、上記音声符号処理部１０７にて圧縮されたバースト信号に対して、送信チャネルに応じたＰＮ符号を用いて拡散処理を施す。そしてこの処理結果に対して、直交変調処理を施し、直交変調信号として送信部（ＴＸ）１０５に出力する。
【００８１】
送信部１０５は、上記直交変調信号を送信局部発振信号と合成して無線周波信号に変換し、制御部１４０により通知される送信データレートに基づいて、上記無線周波信号の有効部分だけを高周波増幅して、アンテナ共用器１０２に出力する。なお上記送信局部発振信号は、周波数シンセサイザ１０４にて生成されるもので、制御部１４０からの制御電圧に応じた周波数の発振信号である。
【００８２】
アンテナ共用器１０２に入力された送信部１０５からの無線周波信号は、送信用フィルタ１０２ｂにより、送信帯域の無線周波信号のみがアンテナ１０１に出力されて、上記基地局ＢＳに向けて空間に放射される。尚、この送信帯域の無線周波信号は、受信用フィルタ１０２ａにより、受信部１０３に入力されることはない。
【００８３】
制御部１４０は、ＣＰＵ、ＲＯＭおよびＲＡＭなどを有してなるものであり、上記ＣＰＵが上記ＲＯＭに記憶される制御プログラムや制御データに従って、当該移動無線端末装置の各部を統括して制御するものである。
【００８４】
その主たる制御内容としては、受信部１０３、周波数シンセサイザ１０４、送信部１０５およびＣＤＭＡ信号処理部１０６を制御して、基地局ＢＳとの間にＣＤＭＡ方式の無線通信による通信リンクを開設し、基地局ＢＳが収容される移動通信網を通じて通信を行なう通信制御機能を備えたものである。
【００８５】
また、この制御機能には、受信部１０３およびＣＤＭＡ信号処理部１０６を制御して、種々の拡散符号を用いて受信信号を逆拡散して、両者の相関を求めることにより通信に適した複数のパスを検出しておき、ＲＡＫＥ受信やソフトハンドオーバを実現するための制御機能を備える。
【００８６】
着信報知部１５０は、当該端末装置宛てに着信があった場合に、制御部１４０の制御によりユーザに対して着信を報知するもので、可聴音を発して報知を行なう発音体１５１と、発光により報知を行なう発光体１５２と、例えば偏心モータなどにより振動を発生して報知を行なう振動体１５３とからなる。
【００８７】
記憶部１６０は、例えばＲＯＭやＲＡＭなどの半導体メモリを記憶媒体としたもので、この記憶媒体には制御部１４０の制御データ、上記電子メールなどを記憶する。
【００８８】
ユーザインターフェイス部１７０は、表示部１７１とキー入力部１７２とからなる。表示部１７１は、例えばＬＣＤ（Liquid Crystal Display）などからなりユーザに対して自機の状態（発信／着信、バッテリ残量、受信強度）や記憶部１６０から読み出したダイヤルデータなどを視覚的に示すためのものである。
【００８９】
キー入力部１７２は、ダイヤル番号入力を行なうためのテンキーなど発着信に関わる通常の通話機能を実施するためのキーの他、着信報知方法（可聴音／発光／バイブレータ／報知なし）の切り換えなどの各種設定や種々の機能を利用するためのキーを備えたものである。
【００９０】
１８１は電源回路であり、バッテリ１８０の出力を基に所定の動作電源電圧Ｖccを生成して各回路に供給する。
【００９１】
次に、上記構成の移動無線端末装置の動作について説明する。
なお、以下の説明では、待ち受け時の動作について説明し、音声通信やデータ通信が開始された後の動作については説明を省略する。
【００９２】
図４は、待ち受け時に行われる処理を説明するためのフローチャートである。
この処理は、制御部１４０によってなされ、電源が投入されると、電源が切られるまで実行される。
【００９３】
電源を投入すると、まずステップ４ａにて、所定の初期化処理を実施するとともに、閾値ｔｈ２の値を初期値にリセットし、圏外待ち受け処理（ステップ４ｂ〜４ｄ）を実施する。
【００９４】
この圏外待ち受け処理では、まずステップ４ｂにて、基地局ＢＳからの報知チャネルＢＣＨを受信するために、受信した信号に種々のタイミングで逆拡散処理を施して、通信に適したパスを複数検出し、このうち最も相関レベル（伝送路応答値）の高いパスの相関レベルを測定する。
【００９５】
そしてステップ４ｃでは、ステップ４ｂで測定した相関レベルを、予め設定されている閾値ｔｈ２と比較する。
ここで、ステップ４ｂで測定した相関レベルが、上記閾値ｔｈ２以下であれば、ステップ４ｗに移行し、一方、相関レベルが閾値ｔｈ２を上回った場合は、ステップ４ｅに移行する。
【００９６】
ステップ４ｗでは、閾値ｔｈ２の現在値に所定値αを加算した値を新たな閾値ｔｈ２とし、ステップ４ｄに移行して、一定時間待機したのち、再びステップ４ｂに移行する。
なお、ここで、閾値ｔｈ２の最大値は、予め設定された制限値に制限されており、この制限値以上にはならないものとする。
ステップ４ｂ〜４ｄの圏外待ち受け処理のループは、１０秒程度の周期で繰り返される。
【００９７】
一方、ステップ４ｅでは、基地局ＢＳからの報知チャネルＢＣＨを受信して復調し、ＢＣＨ情報を取得し、この情報に基づきステップ４ｆにて基地局ＢＳを通じて位置登録などの処理を行う。
【００９８】
その後、着信待ち受け処理（ステップ４ｇ〜４ｊ）を実施する。
この着信待ち受け処理では、まずステップ４ｇにて、基地局ＢＳから取得した情報に基づいて、一斉呼び出しチャネルＰＣＨの受信を試み、ステップ４ｈでは、一斉呼び出しチャネルＰＣＨを受信できたか否かを判定する。
【００９９】
ここで、一斉呼び出しチャネルＰＣＨを受信できた場合には、ステップ４ｘに移行し、一方、ステップ一斉呼び出しチャネルＰＣＨを受信できなかった場合には、ステップ４ｊに移行する。
【０１００】
ステップ４ｘでは、この時点で、一斉呼び出しチャネルＰＣＨの受信が、Ｍ回連続して成功している（ステップ４ｈの判定がＭ回連続してＹｅｓ）か否かを判定する。
【０１０１】
ここで、一斉呼び出しチャネルＰＣＨの受信が、Ｍ回連続して成功している場合には、ステップ４ｙに移行し、一方、一斉呼び出しチャネルＰＣＨの受信が、Ｍ回連続して成功していない場合には、ステップ４ｉに移行する。
【０１０２】
ステップ４ｙでは、閾値ｔｈ２の値を初期値にリセットし、ステップ４ｉに移行する。
ステップ４ｉでは、所定の時間の間、自局宛ての呼び出しの発生を待機した後、ステップ４ｇに移行し、再び一斉呼び出しチャネルＰＣＨの受信を試みる。  なお、ステップ４ｉにて、自局宛ての呼び出しが発生した場合には、当該処理を一時中断して着信報知を行い、ユーザの応答操作に伴って、通信リンクを開設する処理を実施する。
【０１０３】
一方、ステップ４ｊでは、ステップ４ｇにおける一斉呼び出しチャネルＰＣＨの受信で、Ｎ（＞Ｍ）回連続して受信できない状態となった（ステップ４ｈの判定がＮ回連続してＮｏ）か否かを判定する。
ここで、連続で受信できない回数がＮ回未満の場合には、ステップ４ｇに移行して、再び一斉呼び出しチャネルＰＣＨの受信を試みる。
一方、一斉呼び出しチャネルＰＣＨが、Ｎ回連続して受信できなかった場合には、ステップ４ｚに移行する。
【０１０４】
ステップ４ｚでは、閾値ｔｈ２の現在値に所定値β（＞α）を加算した値を新たな閾値ｔｈ２とし、再び圏外待ち受け処理（ステップ４ｂ〜４ｄ）を実施する。
なお、ここで、閾値ｔｈ２の最大値は、予め設定された値に制限されており、この制限値以上にはならないものとする。
【０１０５】
以上のように、上記構成の移動無線端末では、サービス圏内に位置することを検出する圏外待ち受け処理において、圏外の状態から圏内に位置するようになったことを判定するのに、その指標となる相関レベルの閾値を上げて、圏内に位置するものと判定しにくくしている。
【０１０６】
また、着信待ち受け処理を実施して着信を待ち受けている際に、一斉呼び出しチャネルＰＣＨがＮ回連続して受信できず、安定した着信待ち受けができなくなった場合にも、圏外の状態から圏内に位置するようになったことを判定するのに、その指標となる相関レベルの閾値を上げて、圏内に位置するものと判定しにくくしている。
【０１０７】
したがって、上記構成の移動無線端末によれば、高速な移動やフェージングなどにより電波環境が不安定な状況におかれ、呼び出し信号の発生を安定して検出することが困難な状況であっても、位置登録の処理や、呼び出し信号の発生を待機する処理など、結果的に無駄となる処理が安易に行われることが防止できるので、バッテリ１８０の電力を浪費することを防止できる。
【０１０８】
尚、この発明は上記実施の形態に限定されるものではない。
例えば、上記実施の形態では、基地局ＢＳとの通信方式として、ＴＤＭＡ方式やＣＤＭＡ方式を採用する場合を例に挙げて説明したが、これに限定されるものではなく、例えばＦＤＭＡ（Frequency Division Multiple Access）方式などの他の通信方式を採用する移動通信システム移動無線端末であっても、同様の効果を得られる。
【０１０９】
また、上記第１の実施形態では、図２のステップ２ｙにて閾値ｔｈ１を初期化するようにしているが、これに代わって例えば、予め設定した値だけ、閾値ｔｈ１の値を減じるようにしてもよい。
同様に、上記第２の実施形態では、図４のステップ４ｙにて閾値ｔｈ２を初期化するようにしているが、これに代わって例えば、予め設定した値だけ、閾値ｔｈ２の値を減じるようにしてもよい。
その他、この発明の要旨を逸脱しない範囲で種々の変形を施しても同様に実施可能であることはいうまでもない。
【０１１０】
【発明の効果】
以上述べたように、この発明では、受信電界レベルが閾値より大きいと判定手段が判定した場合に、第２の検出手段が自端末宛ての呼び出し信号の発生を検出するが、受信電界レベルが上記閾値より大きくない場合には、上記閾値の値を増加して、受信電界レベルが増大しても安易に閾値より受信電界レベルが大きいと判定手段が判定しなくなるようにしている。
【０１１１】
したがって、この発明によれば、電波環境が不安定な状況にあり、受信電界レベルに変動が生じるような状況でも、判定手段の判定が頻繁に変化することが防止されるので、呼び出し信号の発生を安定して検出することが困難な状況における、呼び出し信号の発生を検出する処理への移行が抑制され、この処理に関わるバッテリ電力の浪費を防止することが可能な移動無線端末および制御回路を提供することができる。
【０１１２】
またこの発明では、受信電界レベルが閾値より大きいと判定手段が判定した場合に、第２の検出手段が自端末宛ての呼び出し信号の発生を検出するが、所定のチャネルを通じて自端末宛てに送られる所定の信号を第２の検出手段が所定の割合で受信できなかった場合に、判定手段にて用いる閾値の値を増加させて、受信電界レベルが増大しても安易に閾値より受信電界レベルが大きいと判定手段が判定しなくなるようにしている。
【０１１３】
したがって、この発明によれば、電波環境が不安定な状況にあり、受信電界レベルに変動が生じるような状況でも、判定手段の判定が頻繁に変化することが防止されるので、呼び出し信号の発生を安定して検出することが困難な状況における、呼び出し信号の発生を検出する処理への移行が抑制され、この処理に関わるバッテリ電力の浪費を防止することが可能な移動無線端末および制御回路を提供することができる。
【０１１４】
さらにこの発明では、逆拡散処理によって得たパスの相関レベルが閾値より大きいと判定手段が判定した場合に、第２の検出手段が自端末宛ての呼び出し信号の発生を検出するが、相関レベルが上記閾値より大きくない場合には、上記閾値の値を増加して、相関レベルが増大しても安易に閾値より相関レベルが大きいと判定手段が判定しなくなるようにしている。
【０１１５】
したがって、この発明によれば、電波環境が不安定な状況にあり、相関レベルに変動が生じるような状況でも、判定手段の判定が頻繁に変化することが防止されるので、呼び出し信号の発生を安定して検出することが困難な状況における、呼び出し信号の発生を検出する処理への移行が抑制され、この処理に関わるバッテリ電力の浪費を防止することが移動無線端末および制御回路を提供することができる。
【０１１６】
そしてこの発明では、逆拡散処理によって得たパスの相関レベルが閾値より大きいと判定手段が判定した場合に、第２の検出手段が自端末宛ての呼び出し信号の発生を検出するが、所定のチャネルを通じて自端末宛てに送られる所定の信号を第２の検出手段が所定の割合で受信できなかった場合に、判定手段にて用いる閾値の値を増加させて、相関レベルが増大しても安易に閾値より相関レベルが大きいと判定手段が判定しなくなるようにしている。
【０１１７】
したがって、この発明によれば、電波環境が不安定な状況にあり、相関レベルに変動が生じるような状況でも、判定手段の判定が頻繁に変化することが防止されるので、呼び出し信号の発生を安定して検出することが困難な状況における、呼び出し信号の発生を検出する処理への移行が抑制され、この処理に関わるバッテリ電力の浪費を防止することが移動無線端末および制御回路を提供することができる。
【図面の簡単な説明】
【図１】この発明に係わる移動無線端末の第１の実施の形態の構成を示す回路ブロック図。
【図２】図１に示した移動無線端末の待ち受け処理を説明するためのフローチャート。
【図３】この発明に係わる移動無線端末の第２の実施の形態の構成を示す回路ブロック図。
【図４】図１に示した移動無線端末の待ち受け処理を説明するためのフローチャート。
【図５】移動通信システムの移動無線端末がおかれるサービス圏内と圏外の状況を説明するための図。
【図６】移動通信システムの移動無線端末がおかれるサービス圏内と圏外の受信電界レベルの差を説明するための図。
【図７】移動通信システムの移動無線端末がおかれるサービス圏内境界と圏外の受信電界レベルの差を説明するための図。
【図８】従来の移動無線端末における待ち受け処理を説明するためのフローチャート。
【符号の説明】
１０…無線部
１２…高周波スイッチ（ＳＷ）
１３…受信部
１４…周波数シンセサイザ
１５…送信部
１６…受信電界強度検出部（ＲＳＳＩ）
２０…モデム部
２１…復調部
２２…変調部
３０…ＴＤＭＡ部
３１…ＴＤＭＡデコード部
３２…ＴＤＭＡエンコード部
４０…通話部
４１…適応差分ＰＣＭトランスコーダ
４２…ＰＣＭコーデック
４３…スピーカ
４４…マイクロホン（Ｍ）
５０…着信報知部
５１…発音体
５２…発光体
５３…振動体
６０…記憶部
７０…ユーザインターフェイス部
７１…表示部
７２…キー入力部
８０…バッテリ
８１…電源回路
１００…制御部
ＢＳ…基地局
【図１】
0004598995.tif 000002
【図２】
0004598995.tif 000003
【図３】
0004598995.tif 000004
【図４】
0004598995.tif 000005
【図５】
0004598995.tif 000006
【図６】
0004598995.tif 000007
【図７】
0004598995.tif 000008
【図８】
0004598995.tif 000009